(57)【要約】【課題】天板に対するケースの位置ずれを抑制して作業効率を良好に維持できる加熱調理器を提供する。【解決手段】コンロの天板３は、ガラス製の本体板の下側の一部を覆うように固定された固定部３Ｂを有する。固定部３Ｂは、本体板のうち入出力部を囲む環状の周端部８８Ａにより形成された開口部８８と、周端部８８Ａの一部から下方に突出するガイド板部８６Ａ、８６Ｂと、センサケース４０を固定するための板固定部８７Ａ〜８７Ｅとを有する。センサケース４０は、ガイド板部８６Ａ、８６Ｂが差し込まれる差し込み部４９Ａ、４９Ｂと、板固定部８７Ａ〜８７Ｅに対向するケース固定部５８Ａ〜５８Ｅとを有する。センサケース４０は、差し込み部４９Ａ、４９Ｂにガイド板部８６Ａ、８６Ｂが差し込まれて本体板側にスライド移動することにより、板固定部８７Ａ〜８７Ｅとケース固定部５８Ａ〜５８Ｅとが位置決めされる。【選択図】図５
2020193772.tif 000002
【特許請求の範囲】
【請求項１】
筐体と、
前記筐体に載置され、前記筐体の上部開口を閉塞する天板と、
前記天板の下側に配置された電装部と、
収容部を有し、前記電装部を前記収容部に内包するケースと
を備えた加熱調理器であって、
前記天板は、ガラス製の本体板と、前記本体板の下側の少なくとも一部を覆うように固定された補強板とを有し、
前記本体板は、前記電装部に対応する部位であって前記電装部の上側に配置される入出力部を有し、
前記補強板は、
前記本体板のうち前記入出力部を囲む環状の周端部により形成された開口部と、
前記周端部の一部から下方に突出するガイド板部と、
前記ケースを固定するための板固定部と、
を有し、
前記ケースは、
前記ガイド板部が差し込まれる差し込み部と、前記板固定部に対向するケース固定部とを有し、
前記差し込み部に前記補強板の前記ガイド板部が差し込まれて前記本体板側にスライド移動することにより、前記板固定部と前記ケース固定部とが位置決めされる
ことを特徴とする加熱調理器。
【請求項２】
前記筐体に固定されるフロントパネルを有し、
前記筐体及び前記フロントパネルの少なくとも一方は、第１ネジ孔を有し、
前記補強板は、第２ネジ孔を有し、
前記天板が前記筐体に載置された場合、前記第１ネジ孔と前記第２ネジ孔とは水平方向に並び、前記第１ネジ孔及び前記第２ネジ孔に対するネジの螺合が可能となることを特徴とする請求項１に記載の加熱調理器。
【請求項３】
前記電装部は、発光部を有し、
前記入出力部は、前記発光部から発光された光を透過する透過部であることを特徴とする請求項１又は２に記載の加熱調理器。
【請求項４】
前記電装部は、近接センサであり、
前記入出力部は、前記本体板のうち前記近接センサによる検出が可能な位置を示す接触部であることを特徴とする請求項１又は２に記載の加熱調理器。
【発明の詳細な説明】
【技術分野】
【０００１】
本発明は加熱調理器に関する。
【背景技術】
【０００２】
ガラス製の天板を有し、天板の下面に光センサやＬＥＤ、近接センサ等の電装部が配置された加熱調理器が知られている。このような加熱調理器では、例えば、天板上方に操作者の手や腕が進入したことを光センサにより検出したり、操作者による操作状況をＬＥＤにより表示したりすることが可能である。特許文献１に記載の加熱調理器は、天板、ケース部材、操作基板等を備える。天板は、ガラス板と、ガラス板の縁部に設けられた金属製のフレーム部とを有する。ケース部材は、ガラス板の下面に固定され、操作基板を内部に収容する。操作基板には、発光素子及び受光素子を備えたスイッチ、及び、ＬＥＤからなる表示ランプが電装部として配設される。操作基板は、ガラス板のうち操作部及び表示部に対応する位置に、ケース部材によって保持される。
【先行技術文献】
【特許文献】
【０００３】
【特許文献１】特開２００５−５５０４３号公報
【発明の概要】
【発明が解決しようとする課題】
【０００４】
通常、操作基板等の電装基板を内包するためのケースは、天板の裏面に設けられた固定部に複数個所でねじ止めされ、固定される。ここで、ケースの大きさが増大することに応じ、天板に対してケースを固定する過程で位置ずれが生じ易くなる。この場合、作業者は、天板に対するケースの位置ずれが生じないように作業を行う必要があり、作業効率が低下する場合があるという問題点がある。
【０００５】
本発明の目的は、天板に対するケースの位置ずれを抑制して作業効率を良好に維持できる加熱調理器を提供することである。
【課題を解決するための手段】
【０００６】
請求項１に記載の加熱調理器は、筐体と、前記筐体に載置され、前記筐体の上部開口を閉塞する天板と、前記天板の下側に配置された電装部と、収容部を有し、前記電装部を前記収容部に内包するケースとを備えた加熱調理器であって、前記天板は、ガラス製の本体板と、前記本体板の下側の少なくとも一部を覆うように固定された補強板とを有し、前記本体板は、前記電装部に対応する部位であって前記電装部の上側に配置される入出力部を有し、前記補強板は、前記本体板のうち前記入出力部を囲む環状の周端部により形成された開口部と、前記周端部の一部から下方に突出するガイド板部と、前記ケースを固定するための板固定部と、を有し、前記ケースは、前記ガイド板部が差し込まれる差し込み部と、前記板固定部に対向するケース固定部とを有し、前記差し込み部に前記補強板の前記ガイド板部が差し込まれて前記本体板側にスライド移動することにより、前記板固定部と前記ケース固定部とが位置決めされることを特徴とする。
【０００７】
請求項２に記載の加熱調理器は、前記筐体に固定されるフロントパネルを有し、前記筐体及び前記フロントパネルの少なくとも一方は、第１ネジ孔を有し、前記補強板は、第２ネジ孔を有し、前記天板が前記筐体に載置された場合、前記第１ネジ孔と前記第２ネジ孔とは水平方向に並び、前記第１ネジ孔及び前記第２ネジ孔に対するネジの螺合が可能であるとよい。
【０００８】
請求項３に記載の加熱調理器の前記電装部は、発光部を有し、前記入出力部は、前記発光部から発光された光を透過する透過部であるとよい。
【０００９】
請求項４に記載の加熱調理器の前記電装部は、近接センサであり、前記入出力部は、前記本体板のうち前記近接センサによる検出が可能な位置を示す接触部であるとよい。
【００１０】
請求項１に記載の加熱調理器によれば、例えば作業者は、加熱調理器の製造工程において、ケースの差し込み部に天板の補強板のガイド板部を差し込み、ケースを天板側にスライドさせることによって、天板に対してケースを組み付けることができる。なお、この作業により、天板の板固定部とケースのケース固定部とは位置決めされる。従って、作業者は、天板に対してケースを容易に位置決めでき、作業者の作業効率を良好に維持できる。
【００１１】
請求項２に記載の加熱調理器によれば、ケースを天板の下側にガイドするガイド板部は、筐体又はフロントパネルと天板とを固定する役割も兼ねている。従って、別途部材を要することなく、筐体又はフロントパネルと天板とをネジによって容易に固定できる。
【００１２】
請求項３に記載の加熱調理器によれば、発光部が収容部に収容された状態のケースを、天板に対して容易に位置決めできる。
【００１３】
請求項４に記載の加熱調理器によれば、近接センサが収容部に収容された状態のケースを、天板に対して容易に位置決めできる。
【図面の簡単な説明】
【００１４】
【図１】コンロ１の斜視図である。
【図２】コンロ１の平面図である。
【図３】天板３の下面に固定したセンサケース４０に対して、左ダクト部７１と右ダクト部７２を介して、左フロントパネル８０と右フロントパネル９０が接続した状態の斜視図である。
【図４】図３とは違う角度から視た斜視図である。
【図５】天板３、電装ユニット１００、及び、センサケース４０の分解斜視図である。
【図６】センサケース４０の上面側の斜視図である。
【図７】センサケース４０の下面側の斜視図である。
【図８】天板３、電装基板１００Ａ、導光板１００Ｂ、１００Ｃ、近接センサ１００Ｄ、１００Ｅ、拡散板１００Ｆ、１００Ｇ、及び、センサケース４０の分解斜視図である。
【図９】天板３、センサケース４０、左フロントパネル８０、及び右フロントパネル９０の分解斜視図である。分解斜視図である。
【発明を実施するための形態】
【００１５】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。
【００１６】
＜コンロ１の概要＞
図１〜図４を参照し、コンロ１の構造を説明する。図１に示すコンロ１は、ビルトインコンロである。コンロ１は筐体２と天板３を備える。筐体２の上側に天板３が載置される。筐体２は、上部に開口部（図示略）を有する。天板３は、筐体２の開口部を上側から閉塞する。天板３は、ガラス製の本体板３Ａ、及び、本体板３Ａの下面に固定された固定部３Ｂ（図４参照）を有する。本体板３Ａの上面左側には左バーナ４、上面右側には右バーナ５、上面後側にはグリル用の排気口７が夫々設けられる。本体板３Ａの下面には、一部透過性を有する非透過性の印刷が施される。筐体２の前面の中央部には、グリル扉８が手前側に引き出し可能に設けられる。グリル扉８は、筐体２内部に設けられるグリル庫の前側のグリル開口（図示略）を開閉する。グリル扉８の前面の上部には、取手８Ａが前方に突出して設けられる。筐体２の前面において、グリル扉８の左側の上下には、化粧板６Ａ、６Ｂが取り付けられ、右側の上下には、化粧板６Ｃ、６Ｄが取り付けられる。
【００１７】
図３、図４に示す左フロントパネル８０及び右フロントパネル９０は、それぞれ、筐体２に固定される。図１に示すように、右フロントパネル９０の前面上部に設けられた電源スイッチ１９は、化粧板６Ｃの前面上部の開口６６から前方に突出する。筐体２の前面から化粧板６Ａ〜６Ｄを取り外すと、図３、図４に示す左フロントパネル８０及び右フロントパネル９０の前面が露出する。図３に示すように、左フロントパネル８０の前面下部には、空気入口８５１が設けられる。右フロントパネル９０の前面下部には、空気入口９５１が設けられる。空気入口８５１、９５１は、外部の空気を内側に取り入れる。
【００１８】
図２に示すように、天板３の本体板３Ａの上面の前側部において、左バーナ４の前側には、左バーナ４を操作する為の左操作部１１が設けられ、右バーナ５の前側には、右バーナ５を操作する為の右操作部１２が設けられる。左操作部１１には、左バーナ４の点火、消火、及び火力の増減等の操作を、指先のタッチで受け付ける複数の受付部と、タイマ時間、使用状態等に応じて点灯又は点滅する表示部等が設けられる。右操作部１２にも、左操作部１１と同様に、右バーナ５の操作に対応する複数の受付部、表示部等が設けられる。左バーナ４と右バーナ５に挟まれる中央部の前側には、グリル用発光表示部１３が設けられる。グリル用発光表示部１３には、グリル使用中に点灯する表示部が設けられる。左操作部１１、右操作部１２、及びグリル用発光表示部１３において、受付部は、ユーザによるタッチ操作の位置を示すために天板３に印刷されたボタン、マーク、又は記号等である。表示部は、天板３の本体板３Ａの非印刷領域であって透過性を有する。以下、左操作部１１、右操作部１２、及びグリル用発光表示部１３を総称して「入出力部１４」という。
【００１９】
天板３の本体板３Ａの下面の前側部には、上面に設けられた入出力部１４に対応するように、電装ユニット１００（図５参照）が接着剤、又は両面テープ等で貼着される。その電装ユニット１００を下方から内包するように、センサケース４０が固定部３Ｂ（図４参照）を介して固定され、天板３の下面側に支持される。センサケース４０は後述の基板収容部４４Ａ（図６参照）を有し、基板収容部４４Ａに電装ユニット１００を内包する。
【００２０】
図２に示すように、左操作部１１の後側には、平面視略円弧状のセンサ用窓部１５が設けられ、右操作部１２の後側には、平面視略円弧状のセンサ用窓部１６が設けられ、グリル用発光表示部１３の後側には、平面視略矩形状のセンサ用窓部１７が設けられる。センサ用窓部１５〜１７は、天板３の本体板３Ａの非印刷領域であって、透過性を有する。センサ用窓部１５の下方に、左から右にセンサ３１〜３４が夫々配置される。センサ用窓部１６の下方には、左から右にセンサ３５〜３８が夫々配置される。センサ用窓部１７の下方には、センサ３９が配置される。センサ３１〜３９は、上方に位置する異物までの距離を測定可能な一般的な測距センサであり、例えば赤外線センサである。センサケース４０は後述のセンサ収容部４５（図７参照）を有し、センサ収容部４５にセンサ３１〜３９を内包する。
【００２１】
＜固定部３Ｂ＞
図５に示すように、天板３の固定部３Ｂは板状であり、本体板３Ａの下面に、本体板３Ａの下側の少なくとも一部を覆うように固定される。固定部３Ｂは本体板３Ａを補強する。固定部３Ｂは、ガイド板部８６Ａ、８６Ｂ、板固定部８７Ａ〜８７Ｅ、開口部８８、８９Ａ〜８９Ｃを有する。開口部８８は、固定部３Ｂの前端部に設けられ、左右方向に長い略矩形状に形成される。開口部８８は、本体板３Ａの入出力部１４を囲む環状の周端部８８Ａを有する。開口部８９Ａは、開口部８８の後方左側に設けられる。開口部８９Ｂは、開口部８８の後方右側に設けられる。開口部８９Ａ、８９Ｂは円形を有する。開口部８９Ａに左バーナ４（図１参照）が挿通され、開口部８９Ｂに右バーナ５（図１参照）が挿通される。開口部８９Ｃは、開口部８９Ａ、８９Ｂの更に後方に設けられ、排気口７に連通する。
【００２２】
ガイド板部８６Ａは、開口部８８の周端部８８Ａのうち前端の左端近傍から、下方に突出する。ガイド板部８６Ｂは、開口部８８の周端部８８Ａのうち前端の右端近傍から、下方に突出する。ガイド板部８６Ａ、８６Ｂは矩形板状を有し、前後方向と直交する。ガイド板部８６Ａ、８６Ｂは、後述のセンサケース４０を位置決めする為に設けられている。ガイド板部８６Ａには、前後方向に貫通する第２ネジ孔８６０Ａが設けられる。ガイド板部８６Ｂには、前後方向に貫通する第２ネジ孔８６０Ｂが設けられる。第２ネジ孔８６０Ａには、左フロントパネル８０とガイド板部８６Ａとを結合するためのネジ８１０（図９参照）が螺合される。第２ネジ孔８６０Ｂには、右フロントパネル９０とガイド板部８６Ｂとを結合するためのネジ９１０（図９参照）が螺合される。
【００２３】
板固定部８７Ａ〜８７Ｅは、開口部８８の周端部８８Ａのうち後端に設けられる。板固定部８７Ａは、周端部８８Ａのうち前端の左端近傍に配置され、板固定部８７Ｅは、周端部８８Ａのうち前端の右端近傍に配置される。板固定部８７Ｂ、８７Ｃ、８７Ｄは、周端部８８Ａのうち前端の左右方向中央部に、左側から右側に向けて順番に並ぶ。板固定部８７Ａ〜８７Ｅは、下方に隆起した形状を有し、それぞれが円形の貫通孔を有する。板固定部８７Ａ〜８７Ｅは、センサケース４０を固定する為に設けられている。
【００２４】
＜センサケース４０＞
図４に示すように、センサケース４０は、左右方向に延びる樹脂製の構造物である。センサケース４０は、本体部４１を備える。本体部４１は、平面視左右方向に延びるケース体である。センサケース４０の左端部には、左フロントパネル８０の空気入口８５１（図３参照）との間に亘って上下方向に延びる略筒状の左ダクト部７１が接続される。左ダクト部７１の内側には、冷却ファン（図示略）が取り付けられる。冷却ファンによって左フロントパネル８０の空気入口８５１に取り込まれた冷却空気は、左ダクト部７１を介してセンサケース４０に供給される。センサケース４０の右端部には、右フロントパネル９０の空気入口９５１（図３参照）との間に亘って上下方向に延びる略筒状の右ダクト部７２が接続される。右ダクト部７２の内側には、冷却ファン（図示略）が取り付けられる。冷却ファンによって右フロントパネル９０の空気入口９５１に取り込まれた冷却空気は、右ダクト部７２を介してセンサケース４０に供給される。供給された冷却空気は、センサケース４０内の電装ユニット１００及びセンサ３１〜３９（図５〜図７参照）を冷却する。
【００２５】
図６、図７に示すように、センサケース４０の本体部４１は、基板収容部４４、センサ収容部４５を備える。図６の紙面手前側の面は、センサケース４０の上面に対応する。図７の紙面手前側の面は、センサケース４０の下面に対応する。図６に示すように、基板収容部４４は、本体部４１の前側部分に対応し、覆部５６及び周壁部５７を有する。覆部５６は、平面視左右方向に長い略矩形状に形成され、上下方向と直交する。覆部５６は、天板３の本体板３Ａの下面に対向する。周壁部５７は、覆部５６の周端部から上方に延びる。基板収容部４４は、上方に向けて開口する箱状に形成され、その内側に基板収容部４４Ａが形成される。基板収容部４４Ａには、天板３の本体板３Ａの下面に貼着された電装ユニット１００（図５参照）が内包される。
【００２６】
基板収容部４４の覆部５６の左端部には左流入口５２が設けられ、右端部には右流入口５３が設けられる。左流入口５２は、上下方向に延びる左筒部４２の上端部と連通する。右流入口５３は、上下方向に延びる右筒部４３の上端部と連通する。基板収容部４４の覆部５６における左右方向略中央の前側部分には、左右方向に並ぶ前側排出口５４Ａ、５４Ｂが設けられる。前側排出口５４Ａの後方には、開口部５５が設けられる。基板収容部４４の内側には、基板流路５０Ａ、５０Ｂが形成される。基板流路５０Ａには、左流入口５２から流入した冷却空気が流れ、前側排出口５４Ａから排出される。基板流路５０Ｂには、右流入口５３から流入した冷却空気が流れ、前側排出口５４Ｂから排出される。
【００２７】
基板収容部４４の周壁部５７のうち前方左側に、下方に突出する差し込み部４９Ａが設けられる。基板収容部４４の周壁部５７のうち前方左側に、下方に突出する差し込み部４９Ｂが設けられる。差し込み部４９Ａ、４９Ｂには、それぞれ、左右方向の両端部にガイドレール４９０が設けられ、天板３の固定部３Ｂのガイド板部８６Ａ、８６Ｂを差し込むことが可能である。差し込み部４９Ａ、４９Ｂは、天板３の固定部３Ｂに対してセンサケース４０を位置決めするために設けられる。
【００２８】
図７に示すように、センサ収容部４５は、本体部４１の後側部分に対応し、底面視二つの円弧が左右方向に並ぶ細長い波状に形成される。センサ収容部４５は、ケース部６０Ａ及び蓋部６０Ｂを有する。ケース部６０Ａは、下方に向けて開口する箱状に形成される。蓋部６０Ｂは、ケース部６０Ａの開口を下側から覆う。
【００２９】
ケース部６０Ａの二つの円弧状の部位のうち左側には、左側から右側に向かって順に、センサ３１〜３４が固定される。ケース部６０Ａの二つの円弧状の部位のうち右側には、左側から右側に向かって順に、センサ３５〜３８が固定される。ケース部６０Ａの中央には、センサ３９が固定される。図６に示すように、センサ３１〜３９は、それぞれ、発光部４７と受光部４８を備える。センサ３１〜３９の夫々の発光部４７と受光部４８は、ケース部６０Ａの上面に形成される筒状の凹部４５１内に露出する。センサケース４０が天板３の固定部３Ｂに固定された状態で、センサ３１〜３９は、天板３の本体板３Ａのセンサ用窓部１５〜１７の直下に支持される。
【００３０】
図７に示すように、ケース部６０Ａの左端部には、基板収容部４４側に向けて延びる前方突出部６１１が設けられる。前方突出部６１１の底面には、上記の左流入口５２が配置される。左流入口５２は、左筒部４２の上方に配置され、基板収容部４４とセンサ収容部４５を互いに連通する。ケース部６０Ａの右端部には、基板収容部４４側に向けて延びる前方突出部６２１が設けられる。前方突出部６２１の底面には、上記の右流入口５３が配置される。右流入口５３は、右筒部４３の上方に配置され、基板収容部４４とセンサ収容部４５を互いに連通する。
【００３１】
センサ収容部４５の内部に、ケース部６０Ａ及び蓋部６０Ｂにより囲まれたセンサ流路６０Ｃが形成される。ケース部６０Ａの左右方向中央且つセンサ３９の左側に隣接する位置に設けられた仕切壁６３１は、センサ流路６０Ｃを左右に仕切る。左側のセンサ流路６０Ｃには、左流入口５２から流入した冷却空気が左端側から中央に向けて流れる。右側のセンサ流路６０Ｃには、右流入口５３から流入した冷却空気が右端側から中央に向けて流れる。
【００３２】
蓋部６０Ｂの左端部には、上下方向に延びる左筒部４２が設けられる。左筒部４２の上端開口部は、ケース部６０Ａの前方突出部６１１に配置され、センサ流路６０Ｃの左端部に連通する。左筒部４２の下端開口部４２１は、前方突出部６１１から下方に突出する。下端開口部４２１には、矩形枠状の弾性体４２２が固定される。左筒部４２の下端開口部４２１は、図４に示す左ダクト部７１の上端部の流出口７１１に弾性体４２２を介して連通する。図７に示すように、蓋部６０Ｂの右端部にも、上下方向に延びる右筒部４３が設けられる。右筒部４３の上端開口部は、ケース部６０Ａの前方突出部６２１に配置され、センサ流路６０Ｃの右端部に連通する。右筒部４３の下端開口部４３１は、前方突出部６２１から下方に突出する。下端開口部４３１には、矩形枠状の弾性体４３２が固定される。右筒部４３の下端開口部４３１は、図４に示す右ダクト部７２の上端部の流出口７２１に弾性体４３２を介して連通する。
【００３３】
図７に示すように、蓋部６０Ｂの左右方向中央には、下方に突出する略四角筒状の接続筒６８が設けられる。接続筒６８は、センサ流路６０Ｃの左右方向中央と連通する。接続筒６８の下方に突出する下端部には、底面視略矩形枠状の弾性体６９が貼着される。接続筒６８の内側には、仕切壁６８１が設けられる。仕切壁６８１は、接続筒６８の内側を左右に仕切る。仕切壁６８１の下端部は、ケース部６０Ａの仕切壁６３１の上端部に当接する。接続筒６８は、弾性体６９を介して、筐体２（図２参照）内の空気流路（非図示）の前端部に装着される。該空気流路は、天板３の本体板３Ａの排気口７からグリル庫の上方を通って前方に延び、接続筒６８に接続する。
【００３４】
図６に示すように、ケース部６０Ａの後端部に、後方に向けて突出する板状のケース固定部５８Ａ〜５８Ｅが設けられる。ケース固定部５８Ａは、ケース部６０Ａの後端部のうち左端近傍に配置され、ケース固定部５８Ｅは、ケース部６０Ａの後端部のうち右端近傍に配置される。ケース固定部５８Ｂ、５８Ｃ、５８Ｄは、ケース部６０Ａの後端部のうち左右方向中央部に、左側から右側に向けて順番に並ぶ。ケース固定部５８Ａ〜５８Ｅには、上下方向に貫通する円形の貫通孔が形成される。ケース固定部５８Ａ〜５８Ｅの貫通孔には、天板３の固定部３Ｂにセンサケース４０を固定する場合においてネジが挿通される。
【００３５】
＜電装ユニット１００＞
図８に示すように、電装ユニット１００は、電装基板１００Ａ、導光板１００Ｂ、１００Ｃ、近接センサ１００Ｄ、１００Ｅ、拡散板１００Ｆ、１００Ｇを有する。電装基板１００Ａは、左右方向に長い矩形板状を有し、上下方向と直交する。電装基板１００Ａの上面に、複数のＬＥＤ２１が実装される。導光板１００Ｂ、１００Ｃ、近接センサ１００Ｄ、１００Ｅ、拡散板１００Ｆ、１００Ｇは、それぞれ、電装基板１００Ａの上側に固定される。以下、複数のＬＥＤ２１、近接センサ１００Ｄ、１００Ｅを総称して「電装部２０」という。
【００３６】
導光板１００Ｂ、１００Ｃは、電装基板１００Ａの複数のＬＥＤ２１から発光された光を上方に導き、且つ、光の拡散を防止するために設けられる。導光板１００Ｂ、１００Ｃは、電装基板１００Ａの上面に固定される。導光板１００Ｂ、１００Ｃは、それぞれ、上下方向に貫通する複数の導光孔２２を有する。電装基板１００Ａの上面に導光板１００Ｂ、１００Ｃが固定された状態で、複数の導光孔２２と電装基板１００Ａの複数のＬＥＤ２１とのそれぞれの位置は一致する。導光板１００Ｂ、１００Ｃは、電装基板１００Ａの複数のＬＥＤ２１から発光された光を上方に透過させる。近接センサ１００Ｄ、１００Ｅは、それぞれ、左右方向に長い矩形板状を有し、上下方向と直交する。近接センサ１００Ｄ、１００Ｅは、天板３の本体板３Ａの上面に対するユーザのタッチ操作を検出するために設けられた、静電容量型の周知の近接センサである。近接センサ１００Ｄ、１００Ｅは、導光板１００Ｂ、１００Ｃの上面に固定される。拡散板１００Ｆ、１００Ｇは、電装基板１００Ａの複数のＬＥＤ２１から発光された光を拡散するために設けられる。拡散板１００Ｆ、１００Ｇは、近接センサ１００Ｄ、１００Ｅの上面に固定される。
【００３７】
＜左フロントパネル８０、右フロントパネル９０＞
図３に示すように、右フロントパネル９０は、正面視縦長略矩形状に形成され、前壁部９１と後方筒部９２を備える。前壁部９１は正面視上下方向に長い略矩形状に形成される。前壁部９１の上端部近傍且つ左右方向中央よりも右側に、電源スイッチ１９が設けられる。前壁部９１の上下方向中央よりも上側には、化粧板６Ｃ（図１参照）が取り付けられる。前壁部９１の上下方向中央よりも下側に、操作部９が回動可能に軸支される。操作部９の前面には、矩形状の開口部９Ｂが設けられる。操作部９の前面には、化粧板６Ｄ（図１参照）が取り付けられる。化粧板６Ｄの上部を指で後方に押し込むと、非図示のロック機構によるロックが外れ、下部を基点に前方に回動する。その結果、操作部９の背面側に設けられたグリル用の操作パネルが前方に引き出される。
【００３８】
図９に示すように、前壁部９１の上端部近傍且つ左右方向中央よりも左側に、後方に向けて凹んだ凹部９１Ａが設けられる。凹部９１Ａの底面に、第１ネジ孔９１Ｂが設けられる。第１ネジ孔９１Ｂは前後方向に延び、凹部９１Ａの底面を貫通する。第１ネジ孔９１Ｂには、天板３の固定部３Ｂのガイド板部８６Ｂと右フロントパネル９０とを結合するためのネジ９１０が螺合される。
【００３９】
後方筒部９２は、前壁部９１の上下方向中央よりも下側の部分から後方に突出して設けられる。後方筒部９２の底面には、吸気通路部９５が設けられる。吸気通路部９５の前端部には、その開口を塞ぐようにして、板状の閉塞部９５５が設けられ、その下側に空気入口９５１が設けられる。空気入口９５１は下向きに開口する。
【００４０】
図４に示すように、後方筒部９２の後方に右ダクト部７２の下端部が接続される。右ダクト部７２は上下方向に延びる。右ダクト部７２の下端部は、空気入口９５１（図３参照）に連通する。右ダクト部７２の上端部は、右筒部４３の下端開口部４３１に連通する。右ダクト部７２内に設けられた冷却ファンが回転した場合、空気入口９５１に取り込まれた冷却空気は、右ダクト部７２を介して左筒部４２に向けて流れ、センサケース４０に供給される。
【００４１】
なお、詳述しないが、図３に示すように、左フロントパネル８０も、右フロントパネル９０と同様に、前壁部８１と後方筒部８２を備える。後方筒部８２の底面には、吸気通路部８５が設けられる。吸気通路部８５の前端部に閉塞部８５５が設けられ、その下側に、空気入口８５１が設けられる。図４に示すように、後方筒部８２の後方に左ダクト部７１の下端部が接続される。左ダクト部７１の下端部は空気入口８５１（図３参照）に連通する。左ダクト部７１の上端部は、左筒部４２の下端開口部４２１に連通する。左ダクト部７１内に設けられた冷却ファンが回転した場合、空気入口８５１に取り込まれた冷却空気は、左ダクト部７１を介して左筒部４２に向けて流れ、センサケース４０に供給される。
【００４２】
図８に示すように、前壁部８１の上端部近傍且つ左右方向中央よりも左側に、後方に向けて凹んだ凹部８１Ａが設けられる。凹部８１Ａの底面に、第１ネジ孔８１Ｂが設けられる。第１ネジ孔８１Ｂには、天板３の固定部３Ｂのガイド板部８６Ａと左フロントパネル８０とを結合するためのネジ８１０が螺合される。
【００４３】
＜コンロ１の製造方法＞
図５、図９を参照し、コンロ１の製造工程において天板３、センサケース４０、左フロントパネル８０、及び右フロントパネル９０を組み付ける方法について説明する。図５に示すように、初めに作業者は、図８に示す電装基板１００Ａ、導光板１００Ｂ、１００Ｃ、近接センサ１００Ｄ、１００Ｅ、及び、拡散板１００Ｆ、１００Ｇを積層して固定し、図５に示す電装ユニット１００を作成する。次に、作業者は、作成された電装ユニット１００を、天板３の本体板３Ａの下面のうち固定部３Ｂの開口部８８により露出された部分に貼付して固定する。このとき、電装ユニット１００の電装基板１００Ａに設けられた電装部２０（図８参照）は、天板３の本体板３Ａのうち対応する入出力部１４の下側に配置される。従って、例えば、電装ユニット１００の複数のＬＥＤ２１から発光された光は、入出力部１４の表示部を介して透過され、天板３の上方に出射可能となる。又、電装ユニット１００の近接センサ１００Ｄ、１００Ｅは、入出力部１４の受付部に対してユーザが行うタッチ操作を検出することが可能となる。
【００４４】
次に、作業者は、天板３の下方にセンサケース４０を配置し、センサケース４０を上方に移動させることによって天板３に近づける。天板３の固定部３Ｂのガイド板部８６Ａがセンサケース４０の差し込み部４９Ａのガイドレール４９０に差し込まれ、且つ、天板３の固定部３Ｂのガイド板部８６Ｂがセンサケース４０の差し込み部４９Ｂのガイドレール４９０に差し込まれる。この状態でセンサケース４０が更に天板３側にスライド移動することによって、天板３に対してセンサケース４０が位置決めされる。天板３の本体板３Ａの下面に、センサケース４０の上端部が接触した状態で、固定部３Ｂの板固定部８７Ａ〜８７Ｅと、センサケース４０のケース固定部５８Ａ〜５８Ｅが位置決めされる。板固定部８７Ａ〜８７Ｅとケース固定部５８Ａ〜５８Ｅとは上下方向に対向し、且つ、それぞれの貫通孔は上下方向に並ぶ。作業者は、板固定部８７Ａ〜８７Ｅ及びケース固定部５８Ａ〜５８Ｅのそれぞれの貫通孔にネジを螺合することにより、センサケース４０を固定部３Ｂに固定する。この状態で、電装ユニット１００は、センサケース４０の基板収容部４４Ａに下側から覆われ、収容される。
【００４５】
又、センサケース４０のセンサ３１〜３９は、天板３の本体板３Ａのセンサ用窓部１５〜１７の下側に配置される。センサ３１〜３９の発光部４７から発光した赤外光は、センサ用窓部１５〜１７を介して上方に出射可能となる。又、センサ３１〜３９の受光部４８は、発光部４７が発光した赤外光を、センサ用窓部１５〜１７を介して受光可能となる。例えば、発光部４７が発光した赤外光が異物に反射して受光部４８により受光された場合、センサ３１〜３９は、受光部４８が受光した反射光の強度に基づき、所定高さ範囲内に異物があるか否かを検出できる。
【００４６】
次に作業者は、左フロントパネル８０及び右フロントパネル９０が固定された筐体２（図１参照）に、センサケース４０が固定された天板３を載置する。このとき、図９に示すように、左フロントパネル８０の第１ネジ孔８１Ｂと、ガイド板部８６Ａの第２ネジ孔８６０Ａとは、前後方向に水平に並ぶ。このため、左フロントパネル８０の凹部８１Ａに前側からネジ８１０を挿入することによって、第１ネジ孔８１Ｂ及び第２ネジ孔８６０Ａに対するネジ８１０の螺合が可能となる。同様に、右フロントパネル９０の第１ネジ孔９１Ｂと、ガイド板部８６Ｂの第２ネジ孔８６０Ｂとは、前後方向に水平に並ぶ。このため、右フロントパネル９０の凹部９１Ａに前側からネジ９１０を挿入することによって、第１ネジ孔９１Ｂ及び第２ネジ孔８６０Ｂに対するネジ９１０の螺合が可能となる。作業者は、第１ネジ孔８１Ｂ及び第２ネジ孔８６０Ａに対してネジ８１０を螺合し、且つ、第１ネジ孔９１Ｂ及び第２ネジ孔８６０Ｂに対してネジ９１０を螺合することにより、天板３の固定部３Ｂに対して左フロントパネル８０及び右フロントパネル９０を結合する。
【００４７】
＜電装ユニット１００及びセンサ３１〜３９の冷却方法＞
コンロ１の非図示の制御部は、左ダクト部７１及び右ダクト部７２内の冷却ファンを共に駆動する。冷却ファンの駆動に応じ、左フロントパネル８０及び右フロントパネル９０のそれぞれの空気入口から空気が吸い込まれる。吸い込まれた空気は、センサケース４０に向けて供給される冷却空気として、左ダクト部７１及び右ダクト部７２のそれぞれの内部を上方に流れる。左ダクト部７１内を流れた冷却空気は、センサケース４０の左筒部４２の下端開口部４２１から内側に流入する。右ダクト部７２内を流れた冷却空気は、センサケース４０の右筒部４３の下端開口部４３１から内側に流入する。
【００４８】
左筒部４２内に流入した冷却空気は、前方突出部６１１に設けられた左流入口５２によって、本体部４１の下面側と上面側に所定の比率で分流される。一方、右筒部４３内に流入した冷却空気も、前方突出部６２１に設けられた右流入口５３によって、本体部４１の下面側と上面側に所定の比率で分流される。左筒部４２内から本体部４１の下面側に流れた冷却空気は、センサ収容部４５に左端側から流入する。冷却空気は、センサ収容部４５のセンサ流路６０Ｃを左端側から中央側に向けて流れる。右筒部４３内から本体部４１の下面側に流れた冷却空気は、センサ収容部４５に右端側から流入する。冷却空気は、センサ収容部４５のセンサ流路６０Ｃを右端側から中央側に向けて流れる。これらにより、センサ３１〜３９が冷却空気によって冷却される。センサ流路６０Ｃを中央側に流れた冷却空気は、中央蓋部６５３に設けられた接続筒６８を介して外部に流出する。接続筒６８を介して外部に流出した冷却空気は、グリル庫上方の空気流路を通って排気口７より外部に排出される。
【００４９】
左筒部４２内から本体部４１の上面側に流れた冷却空気は、基板収容部４４に左端側から流入する。冷却空気は、基板収容部４４の基板流路５０Ａを左端側から中央側に向けて流れる。右筒部４３内から本体部４１の上面側に流れた冷却空気は、基板収容部４４に右端側から流入する。冷却空気は、基板収容部４４の基板流路５０Ｂを右端側から中央側に向けて流れる。これらにより、電装ユニット１００が冷却空気によって冷却される。基板流路５０Ａ、５０Ｂを中央側に流れた冷却空気は、前側排出口５４Ｂから外部に排出される。
【００５０】
＜本実施形態の作用、効果＞
例えば作業者は、コンロ１の製造工程において、センサケース４０の差し込み部４９Ａ、４９Ｂに天板３の固定部３Ｂのガイド板部８６Ａ、８６Ｂを差し込み、センサケース４０を天板３側にスライドさせることによって、天板３に対してセンサケース４０を組み付けることができる。なお、この作業により、天板３の板固定部８７Ａ〜８７Ｅと、センサケース４０のケース固定部５８Ａ〜５８Ｅとは位置決めされる。従って、作業者は、天板３に対してセンサケース４０を容易に位置決めできるので、作業者の作業効率を良好に維持できる。なお、天板３に対してセンサケース４０が位置決めされた後、差し込み部４９Ａ、４９Ｂにガイド板部８６Ａ、８６Ｂが差し込まれた状態になる。このため、コンロ１は、センサケース４０の差し込み部４９Ａ、４９Ｂによりガイド板部８６Ａ、８６Ｂを補強し、破損から守ることができる。
【００５１】
天板３が筐体２に載置された場合、左フロントパネル８０の第１ネジ孔８１Ｂと、ガイド板部８６Ａの第２ネジ孔８６０Ａとは水平方向に並び、右フロントパネル９０の第１ネジ孔９１Ｂと、ガイド板部８６Ｂの第２ネジ孔８６０Ｂとは水平方向に並ぶ。従って、作業者は、第１ネジ孔８１Ｂ、９１Ｂ及び第２ネジ孔８６０Ａ、８６０Ｂに対するネジ８１０、９１０の螺合によって左フロントパネル８０及び右フロントパネル９０を天板３の固定部３Ｂに固定するための作業を、容易に行うことができる。又、センサケース４０を天板３の下側にガイドするガイド板部８６Ａ、８６Ｂは、左フロントパネル８０及び右フロントパネル９０と天板３とを固定する役割も兼ねている。従って、別途部材を要することなく、左フロントパネル８０及び右フロントパネル９０と天板３とをネジ８１０、９１０によって容易に固定できる。
【００５２】
電装部２０は複数のＬＥＤ２１を有する。複数のＬＥＤ２１に対応する入出力部１４は、複数のＬＥＤ２１から発光された光を透過する表示部を含む。又、電装部２０は近接センサ１００Ｄ、１００Ｅを有する。近接センサ１００Ｄ、１００Ｅに対応する入出力部１４は、本体板３Ａのうち近接センサ１００Ｄ、１００Ｅによる検出が可能な位置を示す受付部を含む。この場合、複数のＬＥＤ２１及び近接センサ１００Ｄ、１００Ｅを、天板３の対応する入出力部１４に位置決めし、センサケース４０により収容できる。
【００５３】
＜変形例＞
本発明は上記実施形態に限定されず、種々の変更が可能である。上記において、板固定部８７Ａ〜８７Ｅとケース固定部５８Ａ〜５８Ｅとの固定方法は、ネジによる固定方法に限定されない。例えば、板固定部８７Ａ〜８７Ｅ及びケース固定部５８Ａ〜５８Ｅのうち一方に凸部が設けられ、他方に、該凸部に嵌合する凹部が設けられてもよい。板固定部８７Ａ〜８７Ｅ及びケース固定部５８Ａ〜５８Ｅは、凸部が凹部に嵌合することにより固定されてもよい。
【００５４】
板固定部８７Ａ〜８７Ｅは、固定部３Ｂの開口部８８の周端部８８Ａのうち前端にも設けられてもよい。ケース固定部５８Ａ〜５８Ｅは、センサケース４０の前端にも設けられてもよい。板固定部及びケース固定部は、固定部３Ｂの前後両側で固定されてもよい。ガイド板部８６Ａ、８６Ｂは、固定部３Ｂの開口部８８の周端部８８Ａのうち後端にも設けられてもよい。差し込み部４９Ａ、４９Ｂは、センサケース４０の後側にも設けられていてもよい。但し、上記実施形態において、ガイド板部８６Ａ、８６Ｂ及び差し込み部４９Ａ、４９Ｂは、位置決め機能と同時に、固定部３Ｂに対してセンサケース４０の前端部を固定する機能も兼ねている。このため、ケース固定部をセンサケース４０の前端部に新たに設けてセンサケース４０を固定部３Ｂに固定することの必要性は低い。このため、上記実施形態のように、ガイド板部８６Ａ、８６Ｂ及び差し込み部４９Ａ、４９Ｂと、板固定部８７Ａ〜８７Ｅ及びケース固定部５８Ａ〜５８Ｅとが、前後方向において異なる側に設けられることにより、天板３の固定部３Ｂに対してセンサケース４０を位置決めしつつ固定部３Ｂにセンサケース４０を固定することを、最小限の構成により実現できる。
【００５５】
第１ネジ孔８１Ｂ、９１Ｂは、左フロントパネル８０及び右フロントパネル９０の代わりに筐体２に設けられていてもよい。この場合、作業者は、第１ネジ孔８１Ｂ、９１Ｂ及び第２ネジ孔８６０Ａ、８６０Ｂに対するネジ８１０、９１０の螺合によって筐体２を天板３の固定部３Ｂに固定するための作業を、容易に行うことができる。
【００５６】
電装部２０は、複数のＬＥＤ２１及び近接センサ１００Ｄ、１００Ｅ以外のデバイスを有していてもよい。例えば電装部２０は、センサ３１〜３９と同様の機能を有するセンサを有していてもよい。
【００５７】
上記実施形態のコンロ１は、ビルトインコンロであるが、テーブルコンロであってもよい。また、コンロバーナの数は、上記実施形態では二つであるが、一つ、又は三つ以上であってもよい。
【００５８】
＜その他＞
コンロ１は、本発明の「加熱調理器」の一例である。センサケース４０は、本発明の「ケース」の一例である。基板収容部４４Ａは、本発明の「収容部」の一例である。固定部３Ｂは、本発明の「補強板」の一例である。
【符号の説明】
【００５９】
１        ：コンロ
２        ：筐体
３        ：天板
３Ａ      ：本体板
３Ｂ      ：固定部
２１      ：ＬＥＤ
４０      ：センサケース
４４Ａ    ：基板収容部
４５      ：センサ収容部
４９Ａ、４９Ｂ    ：差し込み部
５８Ａ、５８Ｂ、５８Ｃ、５８Ｄ、５８Ｅ    ：ケース固定部
８０      ：左フロントパネル
８１Ｂ、９１Ｂ    ：第１ネジ孔
８６Ａ、８６Ｂ    ：ガイド板部
８７Ａ、８７Ｂ、８７Ｃ、８７Ｄ、８７Ｅ    ：板固定部
９０      ：右フロントパネル
１００    ：電装ユニット
１００Ｄ、１００Ｅ  ：近接センサ
８１０、９１０    ：ネジ
８６０Ａ、８６０Ｂ  ：第２ネジ孔
【図１】
2020193772.tif 000003
【図２】
2020193772.tif 000004
【図３】
2020193772.tif 000005
【図４】
2020193772.tif 000006
【図５】
2020193772.tif 000007
【図６】
2020193772.tif 000008
【図７】
2020193772.tif 000009
【図８】
2020193772.tif 000010
【図９】
2020193772.tif 000011